(57)【要約】【課題】番組を視聴中のユーザに、より分かり易く、録画予約に関する情報を提示することができるようにする。【解決手段】録画装置に対して録画視聴予約の指令を送信する携帯端末の表示部２０２の画面上に、視聴予約が設定されていることを表す文字「視予」（番組「ニュース」の欄）、録画予約が設定されていることを表す文字「録予」（番組「３年８組の先生」の欄）が録画視聴予約に関する情報として番組表４０１とともに表示される。また、番組の録画が一部失敗したことを表す三角形の記号（番組「ニュース」の欄）、録画が成功したことを表す丸型の記号（番組「１ヶ月英会話」の欄）が番組表４０１とともに表示される。【選択図】図９
2007129397.tif 000002
【特許請求の範囲】
【請求項１】
コンテンツの録画または再生に関する処理を行うコンテンツ処理装置と通信を行い、情報を表示する表示部を有する情報処理装置であって、
前記コンテンツ処理装置に設定された録画予約の情報または視聴予約の情報を取得する録画視聴予約情報取得手段と、
前記コンテンツ処理装置に設定された録画予約の情報に基づいて実行された録画結果の情報を取得する録画結果情報取得手段と、
前記録画視聴予約情報取得手段により取得された前記録画予約の情報若しくは視聴予約の情報、または録画結果情報取得手段により取得された前記録画結果の情報を、予め設定された形式で前記表示部に表示する表示手段と
を備える情報処理装置。
【請求項２】
前記コンテンツは、放送される番組であり、
ネットワークを介して接続される情報管理装置から前記番組に関する番組情報を取得する番組情報取得手段と、
前記番組情報取得手段により取得された番組情報に基づいて番組表の表示データを作成する番組表作成手段と
をさらに備える請求項１に記載の情報処理装置。
【請求項３】
前記表示手段は、
前記録画視聴予約情報取得手段により取得された前記録画予約の情報若しくは視聴予約の情報、または録画結果情報取得手段により取得された前記録画結果の情報の一部または全部を、番組表作成手段により作成された表示データに対応する番組表とともに表示する
請求項２に記載の情報処理装置。
【請求項４】
前記録画視聴予約情報取得手段により取得された前記録画予約の情報若しくは視聴予約の情報、または録画結果情報取得手段により取得された前記録画結果の情報は、前記番組表上の所定記号または文字として表示される
請求項３に記載の情報処理装置。
【請求項５】
前記表示手段は、
前記録画視聴予約情報取得手段により取得された前記録画予約の情報若しくは視聴予約の情報、または録画結果情報取得手段により取得された前記録画結果の情報の一部または全部を、リストとして表示する
請求項２に記載の情報処理装置。
【請求項６】
前記録画視聴予約情報取得手段により取得された前記録画予約の情報若しくは視聴予約の情報、または録画結果情報取得手段により取得された前記録画結果の情報は、前記リスト上の所定記号または文字として表示される
請求項５に記載の情報処理装置。
【請求項７】
前記表示部に表示された前記番組表に基づいて番組を特定するGUIの表示を制御するGUI表示制御手段をさらに備える
請求項２に記載の情報処理装置。
【請求項８】
前記GUIにより特定された番組の録画または視聴の予約の設定を、前記コンテンツ処理装置に指令する録画視聴予約設定指令手段をさらに備える
請求項７に記載の情報処理装置。
【請求項９】
携帯電話機と一体に構成され、前記携帯電話機の通信機能を用いて前記コンテンツ処理装置との通信を行う
請求項１に記載の情報処理装置。
【請求項１０】
コンテンツの録画または再生に関する処理を行うコンテンツ処理装置と通信を行い、情報を表示する表示部を有する情報処理装置の情報処理方法であって、
前記コンテンツ処理装置に設定された録画予約の情報または視聴予約の情報を取得し、
前記コンテンツ処理装置に設定された録画予約の情報に基づいて実行された録画結果の情報を取得し、
前記取得された録画予約の情報若しくは視聴予約の情報、または録画結果の情報を、予め設定された形式で前記表示部に表示する
ステップを含む情報処理方法。
【請求項１１】
コンテンツの録画または再生に関する処理を行うコンテンツ処理装置と通信を行い、情報を表示する表示部を有する情報処理装置に情報処理を実行させるプログラムであって、
前記コンテンツ処理装置に設定された録画予約の情報または視聴予約の情報の取得を制御し、
前記コンテンツ処理装置に設定された録画予約の情報に基づいて実行された録画結果の情報の取得を制御し、
前記取得された録画予約の情報若しくは視聴予約の情報、または録画結果の情報の、予め設定された形式での前記表示部への表示を制御する
ステップを含むコンピュータが読み取り可能なプログラム。
【請求項１２】
請求項１１に記載のプログラムが記録されている記録媒体。
【請求項１３】
コンテンツの録画または再生に関する処理を行い、情報処理装置と通信を行うコンテンツ処理装置であって、
前記情報処理装置から送信される情報に基づいて、前記コンテンツの録画または再生の予約の設定を行う予約設定手段と、
前記予約設定手段により設定された予約に関する情報を記憶する予約情報記憶手段と、
前記予約情報記憶手段に記憶された前記情報に基づいて、前記予約に対応する録画または再生処理を実行する予約実行手段と、
前記予約実行手段により実行された録画処理が成功したか否かを判定する録画結果判定手段とを備え、
前記情報処理装置から送信される要求に基づいて、前記予約情報記憶手段に記憶された前記情報を、前記情報処理装置に送信し、
前記情報処理装置から送信される要求に基づいて、前記録画結果判定手段により判定された録画結果に関する情報を前記情報処理装置に送信する
コンテンツ処理装置。
【請求項１４】
コンテンツの録画または再生に関する処理を行い、情報処理装置と通信を行うコンテンツ処理装置のコンテンツ処理方法であって、
前記情報処理装置から送信される情報に基づいて、前記コンテンツの録画または再生の予約の設定を行い、
前記設定された予約に関する情報を記憶し、
前記情報処理装置から送信される要求に基づいて、前記記憶された前記予約に関する情報を、前記情報処理装置に送信し、
前記情報処理装置から送信される要求に基づいて、前記記憶された前記予約に関する情報に基づいて実行された前記予約に対応する録画処理が成功したか否かを表す録画結果に関する情報を前記情報処理装置に送信する
ステップを含むコンテンツ処理方法。
【発明の詳細な説明】
【技術分野】
【０００１】
本発明は、情報処理装置および方法、プログラム、記録媒体、並びにコンテンツ処理装置および方法に関し、特に、番組を視聴中のユーザに、より分かり易く、録画予約に関する情報を提示することができるようにする情報処理装置および方法、プログラム、記録媒体、並びにコンテンツ処理装置および方法に関する。
【背景技術】
【０００２】
テレビジョン放送などの放送波を受信し、テープやディスクなどの記録媒体へ録画する機能を有したレコーダが普及しているが、ユーザが希望する放送番組を録画するために様々な工夫が提案されている。
【０００３】
例えば、従来、放送番組の録画準備をするためには、ユーザは放送予定の番組を新聞などの媒体で提供される放送番組表などを使って調べ、録画予約設定に必要な情報を入手し、レコーダなどに録画予約設定を行っていた。しかしながら、このような録画予約の設定では、録画予約設定が複雑になりがちで、操作を誤り希望の放送番組が録画できないことがあり、また、放送内容が変更になったり、放送時間が変更になった場合にも録画できないことがあり得る。
【０００４】
そこで、録画予約に必要な設定情報を、入力しやすく確認しやすいようにテレビモニタ上にグラフィカルに表示して、設定ミスを防ぐよう工夫したり、新聞の放送番組表に放送局とその番組情報を特定する特殊な数字列（Gコード）を掲載し、ユーザはビデオレコーダのリモコンなどを用いて、この数字列を入力するだけで録画予約設定を可能にした製品も登場している。
【０００５】
さらに、放送番組情報を放送波やネットワークなどの通信路を利用して配信することで、放送予定の番組情報をレコーダに届けるサービスも始まっており、この情報を、テレビモニタ上にグラフィカルに表示することで、非常に簡単に録画予約設定が可能になってきた（例えば、特許文献１参照）。
【０００６】
また、この放送番組情報を常時監視することにより、放送内容や放送時間の変更にも追従したり、ユーザの嗜好を示すキーワードを設定することで放送予定の番組情報との相関の強いものを自動的に録画する機能などが登場している。
【０００７】
【特許文献１】特開２００４−１３５３５６号公報
【発明の開示】
【発明が解決しようとする課題】
【０００８】
このように、放送番組の録画予約設定をより簡単にするために様々な工夫が実現しているが、これらの機能をユーザにとってより使いやすいものとするために、放送番組情報の表示、録画予約設定情報の表示と入力、録画予約設定の結果または録画結果の確認の表示が利便性の要になっており、一般にはレコーダ本体設けられた文字表示デバイスなどでは上述した情報が表示しきれず、録画された番組を楽しむ際に利用するテレビジョン受像機のディスプレイなどの表示デバイスを利用して表示されることが多い。
【０００９】
そのため、ユーザは、番組などのコンテンツを鑑賞中（視聴中）には、上述したような録画予約の設定機能を用いた録画予約設定ができないという問題があった。
【００１０】
本発明はこのような状況に鑑みてなされたものであり、番組を視聴中のユーザに、より分かり易く、録画予約に関する情報を提示することができるようにするものである。
【課題を解決するための手段】
【００１１】
本発明の第１の側面は、コンテンツの録画または再生に関する処理を行うコンテンツ処理装置と通信を行い、情報を表示する表示部を有する情報処理装置であって、前記コンテンツ処理装置に設定された録画予約の情報または視聴予約の情報を取得する録画視聴予約情報取得手段と、前記コンテンツ処理装置に設定された録画予約の情報に基づいて実行された録画結果の情報を取得する録画結果情報取得手段と、前記録画視聴予約情報取得手段により取得された前記録画予約の情報若しくは視聴予約の情報、または録画結果情報取得手段により取得された前記録画結果の情報を、予め設定された形式で前記表示部に表示する表示手段とを備える情報処理装置である。
【００１２】
前記コンテンツは、放送される番組であり、ネットワークを介して接続される情報管理装置から前記番組に関する番組情報を取得する番組情報取得手段と、前記番組情報取得手段により取得された番組情報に基づいて番組表の表示データを作成する番組表作成手段とをさらに備えるようにすることができる。
【００１３】
前記表示手段は、前記録画視聴予約情報取得手段により取得された前記録画予約の情報若しくは視聴予約の情報、または録画結果情報取得手段により取得された前記録画結果の情報の一部または全部を、番組表作成手段により作成された表示データに対応する番組表とともに表示するようにすることができる。
【００１４】
前記録画視聴予約情報取得手段により取得された前記録画予約の情報若しくは視聴予約の情報、または録画結果情報取得手段により取得された前記録画結果の情報は、前記番組表上の所定記号または文字として表示されるようにすることができる。
【００１５】
前記表示手段は、前記録画視聴予約情報取得手段により取得された前記録画予約の情報若しくは視聴予約の情報、または録画結果情報取得手段により取得された前記録画結果の情報の一部または全部を、リストとして表示するようにすることができる。
【００１６】
前記録画視聴予約情報取得手段により取得された前記録画予約の情報若しくは視聴予約の情報、または録画結果情報取得手段により取得された前記録画結果の情報は、前記リスト上の所定記号または文字として表示されるようにすることができる。
【００１７】
前記表示部に表示された前記番組表に基づいて番組を特定するGUI（Graphical User Interface）の表示を制御するGUI表示制御手段をさらに備えるようにすることができる。
【００１８】
前記GUIにより特定された番組の録画または視聴の予約の設定を、前記コンテンツ処理装置に指令する録画視聴予約設定指令手段をさらに備えるようにすることができる。
【００１９】
携帯電話機と一体に構成され、前記携帯電話機の通信機能を用いて前記コンテンツ処理装置との通信を行うようにすることができる。
【００２０】
本発明の第１の側面は、コンテンツの録画または再生に関する処理を行うコンテンツ処理装置と通信を行い、情報を表示する表示部を有する情報処理装置の情報処理方法であって、前記コンテンツ処理装置に設定された録画予約の情報または視聴予約の情報を取得し、前記コンテンツ処理装置に設定された録画予約の情報に基づいて実行された録画結果の情報を取得し、前記取得された録画予約の情報若しくは視聴予約の情報、または録画結果の情報を、予め設定された形式で前記表示部に表示するステップを含む情報処理方法である。
【００２１】
本発明の第１の側面は、コンテンツの録画または再生に関する処理を行うコンテンツ処理装置と通信を行い、情報を表示する表示部を有する情報処理装置に情報処理を実行させるプログラムであって、前記コンテンツ処理装置に設定された録画予約の情報または視聴予約の情報の取得を制御し、前記コンテンツ処理装置に設定された録画予約の情報に基づいて実行された録画結果の情報の取得を制御し、前記取得された録画予約の情報若しくは視聴予約の情報、または録画結果の情報の、予め設定された形式での前記表示部への表示を制御するステップを含むコンピュータが読み取り可能なプログラムである。
【００２２】
本発明の第１の側面においては、コンテンツ処理装置に設定された録画または視聴予約の情報が取得され、前記コンテンツ処理装置に設定された録画予約の情報に基づいて実行された録画結果の情報が取得され、前記取得された録画予約の情報若しくは視聴予約の情報、または録画結果の情報が、予め設定された形式で前記表示部に表示される。
【００２３】
本発明の第２の側面は、コンテンツの録画または再生に関する処理を行い、情報処理装置と通信を行うコンテンツ処理装置であって、前記情報処理装置から送信される情報に基づいて、前記コンテンツの録画または再生の予約の設定を行う予約設定手段と、前記予約設定手段により設定された予約に関する情報を記憶する予約情報記憶手段と、前記予約情報記憶手段に記憶された前記情報に基づいて、前記予約に対応する録画または再生処理を実行する予約実行手段と、前記予約実行手段により実行された録画処理が成功したか否かを判定する録画結果判定手段とを備え、前記情報処理装置から送信される要求に基づいて、前記予約情報記憶手段に記憶された前記情報を、前記情報処理装置に送信し、前記情報処理装置から送信される要求に基づいて、前記録画結果判定手段により判定された録画結果に関する情報を前記情報処理装置に送信するコンテンツ処理装置である。
【００２４】
本発明の第２の側面は、コンテンツの録画または再生に関する処理を行い、情報処理装置と通信を行うコンテンツ処理装置のコンテンツ処理方法であって、前記情報処理装置から送信される情報に基づいて、前記コンテンツの録画または再生の予約の設定を行い、前記設定された予約に関する情報を記憶し、前記情報処理装置から送信される要求に基づいて、前記記憶された前記予約に関する情報を、前記情報処理装置に送信し、前記情報処理装置から送信される要求に基づいて、前記記憶された前記予約に関する情報に基づいて実行された前記予約に対応する録画処理が成功したか否かを表す録画結果に関する情報を前記情報処理装置に送信するステップを含むコンテンツ処理方法である。
【００２５】
本発明の第２の側面においては、情報処理装置から送信される情報に基づいて、前記コンテンツの録画または再生の予約の設定が行われ、前記設定された予約に関する情報が記憶され、前記情報処理装置から送信される要求に基づいて、前記記憶された前記予約に関する情報が、前記情報処理装置に送信され、前記情報処理装置から送信される要求に基づいて、前記記憶された前記予約に関する情報に基づいて実行された前記予約に対応する録画処理が成功したか否かを表す録画結果に関する情報が前記情報処理装置に送信される。
【発明の効果】
【００２６】
本発明の第１の側面によれば、番組を視聴中のユーザに、より分かり易く、録画予約に関する情報を提示することができる。本発明の第２の側面によれば、より分かり易い録画予約に関する情報を提示するための情報を提供することができる。
【発明を実施するための最良の形態】
【００２７】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
本発明の第１の側面の情報処理装置は、コンテンツの録画または再生に関する処理を行うコンテンツ処理装置（例えば、図１の録画装置１０３）と通信を行い、情報を表示する表示部（例えば、図２の表示部２０２）を有する情報処理装置（例えば、図１の携帯端末１０１）であって、前記コンテンツ処理装置に設定された録画予約の情報または視聴予約の情報を取得する録画視聴予約情報取得手段（例えば、図３の録画視聴予約情報取得部３０４）と、前記コンテンツ処理装置に設定された録画予約の情報に基づいて実行された録画結果の情報を取得する録画結果情報取得手段（例えば、図３の録画結果情報取得部３０７）と、前記録画視聴予約情報取得手段により取得された前記録画予約の情報若しくは視聴予約の情報、または録画結果情報取得手段により取得された前記録画結果の情報を、予め設定された形式で前記表示部に表示する表示手段（例えば、図３の録画視聴予約表示作成部３０６、録画結果表示作成部３０９、および合成部３１０）とを備える。
【００２９】
前記コンテンツは、放送される番組であり、ネットワークを介して接続される情報管理装置（例えば、図１の番組情報サーバ１０７）から前記番組に関する番組情報を取得する番組情報取得手段（例えば、図３の番組情報取得部３０１）と、前記番組情報取得手段により取得された番組情報に基づいて番組表の表示データを作成する番組表作成手段（例えば、図３の番組表作成部３０３）とをさらに備えるようにすることができる。
【００３０】
前記表示部に表示された前記番組表に基づいて番組を特定するGUI（Graphical User Interface）の表示を制御するGUI表示制御手段（例えば、図３の制御用表示作成部３１１）をさらに備えるようにすることができる。
【００３１】
前記GUIにより特定された番組の録画または視聴の予約の設定を、前記コンテンツ処理装置に指令する録画視聴予約設定指令手段（例えば、図３の録画視聴予約設定指示部３１７）をさらに備えるようにすることができる。
【００３２】
本発明の第１の側面の情報処理方法は、コンテンツの録画または再生に関する処理を行うコンテンツ処理装置（例えば、図１の録画装置１０３）と通信を行い、情報を表示する表示部（例えば、図２の表示部２０２）を有する情報処理装置（例えば、図１の携帯端末１０１）の情報処理方法であって、前記コンテンツ処理装置に設定された録画予約の情報または視聴予約の情報を取得し（例えば、図６のステップS２０２とS２０３の処理）、前記コンテンツ処理装置に設定された録画予約の情報に基づいて実行された録画結果の情報を取得し（例えば、図６のステップS２０５とS２０６の処理）、前記取得された録画予約の情報若しくは視聴予約の情報、または録画結果の情報を、予め設定された形式で前記表示部に表示する（例えば、図６のステップS２０８の処理）ステップを含む。
【００３３】
本発明の第２の側面のコンテンツ処理装置は、コンテンツの録画または再生に関する処理を行い、情報処理装置（例えば、図１の携帯端末１０１）と通信を行うコンテンツ処理装置（例えば、図１の録画装置１０３）であって、前記情報処理装置から送信される情報に基づいて、前記コンテンツの録画または再生の予約の設定を行う予約設定手段（例えば、図３の録画視聴予約設定部３５２）と、前記予約設定手段により設定された予約に関する情報を記憶する予約情報記憶手段（例えば、図３の録画視聴予約情報記憶部３５３）と、前記予約情報記憶手段に記憶された前記情報に基づいて、前記予約に対応する録画または再生処理を実行する予約実行手段（例えば、図３の録画視聴予約実行部３５５）と、前記予約実行手段により実行された録画処理が成功したか否かを判定する録画結果判定手段（例えば、図３の録画結果判定部３５４）とを備え、前記情報処理装置から送信される要求に基づいて、前記予約情報記憶手段に記憶された前記情報を、前記情報処理装置に送信し、前記情報処理装置から送信される要求に基づいて、前記録画結果判定手段により判定された録画結果に関する情報を前記情報処理装置に送信する。
【００３４】
本発明の第２の側面のコンテンツ処理方法は、コンテンツの録画または再生に関する処理を行い、情報処理装置（例えば、図１の携帯端末１０１）と通信を行うコンテンツ処理装置（例えば、図１の録画装置１０３）のコンテンツ処理方法であって、前記情報処理装置から送信される情報に基づいて、前記コンテンツの録画または再生の予約の設定を行い（例えば、図１３のステップS４０８の処理）、前記設定された予約に関する情報を記憶し（例えば、図１３のステップS４０９の処理）、前記情報処理装置から送信される要求に基づいて、前記記憶された前記予約に関する情報を、前記情報処理装置に送信し（例えば、図１３のステップS４０３の処理）、前記情報処理装置から送信される要求に基づいて、前記記憶された前記予約に関する情報に基づいて実行された前記予約に対応する録画処理が成功したか否かを表す録画結果に関する情報を前記情報処理装置に送信する（例えば、図１３のステップS４０６の処理）ステップを含む。
【００３５】
以下、図面を参照して、本発明の実施の形態について説明する。
【００３６】
図１は本発明を適用した録画予約システムの一実施の形態に係る構成例を示すブロック図である。
【００３７】
同図においては、例えば、ユーザの自宅などに、有線または無線による家庭内LAN（Local Area Network）１００が構築されている。家庭内LAN１００には、録画装置１０３、アクセスポイント１０２、携帯端末１０１、およびルータ１０５が接続されている。
【００３８】
録画装置１０３は、例えば、DVD（Digital Versatile Disc）レコーダ、ＨＤＤ（hard disk drive）レコーダなどとして構成され、例えば、テレビジョン放送信号などの放送波をアンテナを介して受信する放送波受信装置１２１を内部に有する構成とされている。録画装置１０３は、放送波受信装置１２１により受信されたテレビジョン放送の番組などのコンテンツを、ユーザによる指令に基づいてDVD、HDDなどの記録媒体に記録する。
【００３９】
録画装置１０３には、例えば、テレビジョン受像機として構成される映像表示音声再生装置１０４が接続されており、録画装置１０３により録画されたコンテンツなどは、例えば、ユーザの指令に基づいて再生され、映像表示音声再生装置１０４によりコンテンツの映像が表示され、音声が出力される。なお、録画装置１０３と映像表示音声再生装置１０４とが一体として構成されるようにしても構わない。
【００４０】
アクセスポイント１０２は、家庭内LAN１００における無線LANにより接続される機器と、有線LANとのアクセスポイントであり、所定の周波数の信号を送受信することにより、携帯端末１０１と通信を行う。
【００４１】
携帯端末１０１は、例えば、録画装置１０３に対する各種の指令を送信するリモコン（リモートコマンダ）などとして構成され、アクセスポイント１０２を経由して、録画装置１０３との通信を行う。携帯端末１０１は、ボタン、ダイヤルなどの操作入力部、また、LCD（Liquid Crystal Display）などで構成される表示部（ディスプレイ）を有する構成とされ、必要に応じて、録画装置１０３に対する録画予約の設定を行い、または録画装置１０３に設定されている録画予約に関する情報などをユーザに提示する。
【００４２】
例えば、携帯端末１０１を保持するユーザは、家庭内の任意の場所から家庭内LAＮ100にアクセスし、録画装置１０３に対する各種の処理の実行を指令することができる。
【００４３】
家庭内LAN１００に接続される各種の機器は、ルータ１０５を介してインターネット１０６に接続される。インターネット１０６には、例えば、EPG（Electronic Program Guide）などの情報であって、放送される番組の番組情報を記憶し、必要に応じて番組情報を配信する番組情報サーバ１０７が接続されている。すなわち、携帯端末１０１は、必要に応じて番組情報サーバ１０７から番組情報を取得することができる。
【００４４】
なお、番組情報サーバ１０７から取得される番組情報に対応する番組、録画装置１０３により録画（または視聴）される番組は、放送される番組に限られるものではなく、例えば、インターネット１０６などのネットワークを介して配信されるコンテンツなどであってもよい。
【００４５】
図２は、携帯端末１０１の内部構成例を示すブロック図である。
【００４６】
同図に示されるように、携帯端末１０１には、無線LANアダプタなどにより構成され、アクセスポイント１０２との通信を行うネットワークI/F２０１、LCDなどで構成され番組情報や録画予約に関する情報などの他、各種のGUI（Graphical User Interface）を表示する表示部２０２、表示部２０２を駆動制御することで、画像を表示部２０２に表示させるGDP（Graphic Display Processor）２０３が設けられている。
【００４７】
また、携帯端末１０１には、プログラムなどのソフトウェアに基づいて携帯端末１０１の各種の処理をするＣＰＵ２０５、そのプログラムなどを記憶しているＲＯＭおよびプログラムをロード実行するためのＲＡＭ２０６、番組情報、録画予約に関する情報などを保存するデータ保存部２０７が設けられており、バス２０８を介して各部が相互に接続されている。さらに、携帯端末１０１には、ボタン、ダイヤルなどで構成され、ユーザがＧＵＩなどの操作をするための入力部２０４が設けられている。
【００４８】
図３は、携帯端末１０１、録画装置１０３、および番組情報サーバ１０７の機能的構成例を示すブロック図である。
【００４９】
携帯端末１０１においては、起動された後、例えば、通常動作中に予め設定された所定の時間間隔で、またはユーザによる指令に基づいて番組情報要求部３００から、通信部３１８を介して番組情報サーバ１０７へ番組情報の取得要求を送信する。
【００５０】
この取得要求を受信した番組情報サーバ１０７においては、番組情報提供部３９０から番組情報を、インターネット１０６を介して送信することにより携帯端末１０１に提供する。
【００５１】
携帯端末１０１においては、番組情報サーバ１０７から送信された番組情報が、通信部３１８を経由して番組情報取得部３０１で取得され、番組情報記憶部３０２により保存される。
【００５２】
例えば、ユーザが表示制御部３１５の制御により表示された表示部２０２の画面を見ながら入力部３１６（入力部２０４を介した操作）により番組表の表示を要求すると、番組情報記憶部３０２により記憶されている番組情報に基づいて番組表作成部３０３が表示データ作成し、合成部３１０の処理を経て表示制御部３１５により番組表が表示される。
【００５３】
ここでは、番組情報記憶部３０２が、情報を記録する記録媒体に機器情報を記憶させることを想定しているが、例えば、その記憶媒体がメモリーカードのように携帯端末１０１から取り外せる媒体（リムーバブルメディア）として構成され、番組情報が保存（記憶）されたメモリーカードを、別の携帯端末、または番組情報読み出し可能な機器に装着し、その機器により番組情報が表示されたり、後述する録画予約設定が行われるようにしてもよい。
【００５４】
家庭内ＬＡＮ１００に携帯端末１０１と録画装置１０３が接続されたとき、録画装置１０３の機器情報提供部３５１が録画装置１０３の機器情報を送信する。この機器情報には、ネットワーク上で録画装置１０３を特定できるユニークな情報（例えば、録画装置１０３のＩＤ）が含まれる。携帯端末１０１においては、録画装置１０３から送信された機器情報が通信部３１８を経由して機器情報取得部３１２により受信されて取得され、機器情報保存部３１３により保存される。
【００５５】
例えば、録画装置１０３と映像表示音声再生装置１０４を使って、録画装置１０３自身のＧＵＩと本体の操作により録画（または視聴）予約が行われた場合、ユーザは、携帯端末１０１を用いて録画（視聴）予約情報の確認をすることができる。
【００５６】
録画装置１０３に対して録画（または視聴）の予約が設定されると、その録画（または視聴）予約情報が録画視聴予約情報記憶部３５３により保存される。
【００５７】
録画装置１０３の録画（視聴）予約情報の確認を行う場合、携帯端末１０１においては、機器情報保存部３１３により保存されている録画装置１０３の機器情報に基づいて、録画装置指定部３１４により録画装置１０３が指定されて録画視聴予約情報の取得要求が送信される。
【００５８】
そして録画装置１０３においては、録画視聴予約情報記憶部３５３から録画視聴予約情報が読み出されて通信部３５０を介して携帯端末１０１に送信され、携帯端末１０１の録画視聴予約情報取得部３０４でこれが受信され、録画視聴予約情報記憶部３０５により記憶される。
【００５９】
ユーザの指令などに基づいて、録画視聴予約情報記憶部３０５により記憶された録画視聴予約情報が読み出され、録画視聴予約表示作成部３０６により表示データが作成され、合成部３１０の処理を経て表示制御部３１５の制御により録画視聴予約に関する情報が画面に表示される。
【００６０】
また、録画装置１０３においては、録画視聴予約情報に基づき録画視聴予約実行部３５５により予約録画が実行され、録画データは動画像保存部３５６により、例えばDVD、HDDなどの記録媒体に保存される。ユーザは、携帯端末１０１を用いて録画結果情報の確認をすることができる。
【００６１】
録画装置１０３の録画結果情報の確認を行う場合、携帯端末１０１の機器情報保存部３１３にある録画装置１０３の機器情報に基づいて録画装置指定部３１４により録画装置１０３が指定され録画結果情報の取得要求が送信される。
【００６２】
録画装置１０３においては、録画結果判定部３５４により録画が成功したか失敗したかを判定し、その判定結果に基づく録画結果情報が通信部３５０を介して携帯端末１０１に送信される。携帯端末１０１の録画結果情報取得部３０７でこれが受信して録画結果情報記憶部３０８により記憶される。
【００６３】
ユーザの指令などに基づいて、録画結果情報記憶部３０８により記憶された録画結果情報が読み出され、録画結果表示作成部３０９により表示データが作成され、合成部３１０の処理を経て表示制御部３１５の制御により録画結果に関する情報が画面に表示される。
【００６４】
携帯端末１０１を用いて録画装置１０３に対する録画予約の設定などを行う場合の各種のGUIなどの表示データは、制御用表示作成部３１１により作成され、例えば入力部３１６からの入力に基づいて、合成部３１０の処理を経て表示制御部３１５の制御によりGUIが画面に表示されることになる。
【００６５】
次に、図４のフローチャートを参照して、携帯端末１０１による番組情報取得処理について説明する。
【００６６】
ステップS１０１において、番組情報要求部３０１は、携帯端末１０１に内蔵される図示せぬタイマなどから出力される情報を参照し、現在時刻をチェックする。
【００６７】
ステップS１０２において、番組情報要求部３０１は、現在時刻が番組情報の取得を要求するべき時刻であるか否かを判定し、まだ、番組情報の取得を要求するべき時刻ではないと判定された場合、処理は、ステップS１０１に戻る。
【００６８】
上述したように、携帯端末１０１は、起動された後、例えば、通常動作中に予め設定された所定の時間間隔で、番組情報の取得要求を送信する。例えば、通常動作中に予め設定された所定の時間が経過した場合、ステップS１０２では、現在時刻が番組情報の取得を要求するべき時刻であると判定され、処理は、ステップS１０３に進む。あるいはまた、時間の経過に係らず、ユーザによる指令などがあった場合、ステップS１０２で番組情報の取得を要求するべき時刻であると判定されるようにしてもよい。
【００６９】
ステップS１０３において、番組情報要求部３０１は、通信部３１８を介して番組情報サーバ１０７に番組情報取得要求を送信する。ここで、番組情報取得要求は、携帯端末１０１が番組情報を要求していることを表す情報であり、例えば、番組情報サーバ１０７に番組情報の送信を促すメッセージ、携帯端末１０１を特定するためのアドレス、IDなどが含まれる。
【００７０】
ステップS１０４において、番組情報取得部３０１は、ステップS１０３の処理で送信された番組情報取得要求に対応して番組情報サーバ１０７から送信された番組情報を受信したか否かを判定し、番組情報を受信したと判定されるまで待機する。ステップS１０４において、番組情報を受信したと判定された場合、処理は、ステップS１０５に進む。
【００７１】
ステップS１０５において、番組情報記憶部１０５は、ステップS１０４の処理で受信したと判定された番組情報を、例えば、データ保存部２０７の所定の領域などに保存（記憶）する。
【００７２】
次に、図５のフローチャートを参照して、携帯端末１０１による番組情報取得処理に伴って実行される、番組情報サーバ１０７による番組情報送信処理について説明する。
【００７３】
ステップS１５１において、番組情報提供部３９０は、番組情報取得要求を受信したか否かを判定し、番組情報取得要求を受信したと判定されるまで待機する。図４のステップS１０３の処理で、携帯端末１０１から送信された番組情報取得要求が番組情報サーバ１０７で受信されると、ステップS１５１では、番組情報取得要求を受信したと判定され、処理は、ステップS１５２に進む。
【００７４】
ステップS１５２において、番組情報提供部３９０は、携帯端末１０１に番組情報を送信する。これにより、番組情報がインターネット１０６、ルータ１０５、およびアクセスポイント１０２を介して携帯端末１０１に受信され、上述した図４のステップS１０４、S１０５の処理が実行される。
【００７５】
このようにして、携帯端末１０１は、番組情報を番組情報サーバ１０７から取得する。
【００７６】
次に、図６のフローチャートを参照して、携帯端末１０１による番組情報表示処理について説明する。
【００７７】
ステップS２０１において、録画装置指定部３１４は、録画装置を指定する。上述したように、家庭内ＬＡＮ１００に接続された録画装置１０３の機器情報提供部３５１が録画装置１０３の機器情報（家庭内LAN１００上で録画装置１０３を特定できる録画装置１０３のＩＤなどが含まれる）を携帯端末１０１に送信し、携帯端末１０１においては、録画装置１０３から送信された機器情報が機器情報取得部３１２により受信されて取得され、機器情報保存部３１３により保存されている。ステップS２０１では、機器情報保存部３１３により保存されている録画装置１０３の機器情報に基づいて、録画装置指定部３１４により録画装置１０３が指定される。
【００７８】
そして、ステップS２０２において、ステップS２０１で指定された録画装置１０３に対して、録画視聴予約情報取得要求が通信部３１８を介して送信される。ここで、録画視聴予約情報取得要求は、携帯端末１０１が録画視聴予約情報を要求していることを表す情報であり、例えば、録画装置１０３に録画視聴予約情報の送信を促すメッセージ、携帯端末１０１を特定するためのアドレス、IDなどが含まれる。
【００７９】
ステップS２０３において、録画視聴予約情報取得部３０４は、ステップS２０２の処理で送信された録画視聴予約情報取得要求に対応して録画装置１０３が送信した録画視聴予約情報を受信したか否かを判定し、録画視聴予約情報を受信したと判定されるまで待機する。
【００８０】
ステップS２０３において、録画視聴予約情報を受信したと判定された場合、処理は、ステップS２０４に進み、録画視聴予約情報記憶部３０５は、ステップS２０３の処理で受信したと判定された録画視聴予約情報を、例えば、データ保存部２０７の所定の領域などに記憶する。
【００８１】
ステップS２０５において、ステップS２０１で指定された録画装置１０３に対して、録画結果情報取得要求が通信部３１８を介して送信される。ここで、録画結果情報取得要求は、携帯端末１０１が録画結果情報を要求していることを表す情報であり、例えば、録画装置１０３に録画結果情報の送信を促すメッセージ、携帯端末１０１を特定するためのアドレス、IDなどが含まれる。
【００８２】
ステップS２０６において、録画結果情報取得部３０７は、ステップS２０５の処理で送信された録画結果情報取得要求に対応して録画装置１０３が送信した録画結果情報を受信したか否かを判定し、録画結果情報を受信したと判定されるまで待機する。
【００８３】
ステップS２０６において、録画結果情報を受信したと判定された場合、処理は、ステップS２０７に進み、録画結果情報記憶部３０８は、ステップS２０６の処理で受信したと判定された録画結果情報を、例えば、データ保存部２０７の所定の領域などに記憶する。
【００８４】
ステップS２０８において、図７を参照して後述する画面表示処理が実行される。これにより携帯端末１０１の表示部２０２に、番組情報および録画視聴予約、録画結果に関する情報が表示される。
【００８５】
次に、図７のフローチャートを参照して、図６のステップS２０８の画面表示処理の詳細について説明する。
【００８６】
ステップS２２１において、合成部３１０は、表示モードをチェックする。ここで、表示モードは、番組情報サーバ１０７または録画装置１０３から取得した番組情報および録画視聴予約、録画結果に関する情報の表示方式を表すものとされ、番組情報とともに、録画視聴予約、録画結果に関する情報を表示する統合表示モード、および録画視聴予約、録画結果に関する情報を、番組情報とは別にリストとして表示するリスト表示モードが存在するものとする。
【００８７】
ステップS２２２において、合成部３１０は、ステップS２２１の処理でチェックした表示モードは、統合表示モードまたはリスト表示モードのいずれであるかを判定する。なお、表示モードは、ユーザの指令などに基づき、処理に先立って予め設定（選択）されているものとする。
【００８８】
ステップS２２２において、表示モードは、統合表示モードであると判定された場合、処理は、ステップS２２３に進み、図８を参照して後述する統合表示処理が実行される。
【００８９】
一方、ステップS２２２において、表示モードは、リスト表示モードであると判定された場合、処理は、ステップS２２４に進み、図１０を参照して後述するリスト表示処理が実行される。
【００９０】
次に、図８のフローチャートを参照して、図７のステップS２２３の統合表示処理の詳細について説明する。
【００９１】
ステップS２５１において、番組情報記憶部３０２は、番組情報サーバ１０７から取得し、記憶されている番組情報を読み出す。
【００９２】
ステップS２５２において、番組表作成部３０３はステップS２５１の処理で読み出された番組情報に基づいて、番組表の表示データを作成する。これにより、例えば、時間軸とチャネル番号を表す軸の２次元で特定される表示枠内にチャンネル番号と時間に対応した番組情報が記述された番組表の表示データが作成される。
【００９３】
ステップS２５３において、録画視聴予約情報記憶部３０５は、録画装置１０３から取得し、記憶されている録画視聴予約情報を読み出す。
【００９４】
ステップS２５４において、録画視聴予約表示作成部３０６は、ステップS２５３の処理で読み出された録画視聴予約情報に基づいて、表示データを作成する。詳細は後述するが、これにより、例えば、ステップS２５２の処理で作成された表示データに対応する番組表上に、録画視聴予約に関する情報を表示するための表示データが作成される。
【００９５】
ステップS２５５において、録画結果情報記憶部３０８は、録画装置１０３から取得し、記憶されている録画結果情報を読み出す。
【００９６】
ステップS２５６において、録画結果表示作成部３０９は、ステップS２５５の処理で読み出された録画結果情報に基づいて、表示データを作成する。これにより、詳細は後述するが、例えば、ステップS２５２の処理で作成された表示データに対応する番組表上に、録画結果に関する情報を表示するための表示データが作成される。
【００９７】
ステップS２５７において、合成部３１０は、ステップS２５２、ステップS２５４、およびステップS２５６の処理でそれぞれ作成された表示データを、合成した表示データを作成する。
【００９８】
ステップS２５８において、表示制御部３１５は、ステップS２５７の処理で作成された表示データに基づく画像を表示部２０２の画面に表示させことにより、統合表示画面を表示する。
【００９９】
このとき表示される統合表示画面の例を図９に示す。同図においては、表示部２０２の画面上に、縦軸を時間軸、横軸をチャネル軸とした2次元で特定される表示枠内に、それぞれのチャネルにおいてそれぞれの時間帯に放送される番組の情報（例えば、番組のタイトル）が記述された番組表４０１が表示されている。なお、同図は、現在時刻が「７月１３日（水曜日）の午後０時３５分」である場合の番組表の表示例であり、現在時刻の前後所定の時間分だけの番組表（この例では、午後０時から午後３時までの番組表）が表示されている。
【０１００】
また、図９においては、録画視聴予約に関する情報が番組表４０１とともに表示されている。同図の番組表４０１のチャネル「日本総合」において午後２時（２PM  00）から放送される番組「ニュース」の欄（表示枠）には、「視予」と記されている。これは、録画装置１０３において同番組の視聴予約が設定されていることを表している。さらに、同図の番組表４０１のチャネル「ＴＢＣ」において午後２時（２PM  00）から放送される番組「３年８組の先生」の欄（表示枠）には、「録予」と記されている。これは、録画装置１０３において同番組の録画予約が設定されていることを表している。
【０１０１】
また、図９においては、録画結果に関する情報が番組表４０１とともに表示されている。同図の番組表４０１のチャネル「日本総合」において午後０時（０PM  00）から放送される番組「ニュース」の欄（表示枠）には、三角形の記号が記されている。これは、録画装置１０３において同番組の録画予約が設定されていたが、例えば、記録媒体の容量不足などの原因で同番組の録画が一部失敗したことを表している。さらに、同図の番組表４０１のチャネル「日本教育」において午後０時１０分（０PM  10）から放送される番組「１ヶ月英会話」の欄（表示枠）には、丸形の記号が記されている。これは、録画装置１０３において同番組の録画予約が設定されていたが、同番組の録画が成功したことを表している。
【０１０２】
なお、録画装置１０３がユーザの嗜好を示すキーワードを設定することで放送予定の番組情報との相関の強いものを自動的に録画する機能などを有している場合、上述した録画視聴予約、または録画結果を表す文字や記号とともに、その番組の録画（または視聴）予約の設定が上述した録画装置１０３の機能により自動的に設定されたものなのか、またはユーザの指令により設定されたものなのかを表す文字や記号などがさらに表示されるようにしてもよい。
【０１０３】
さらに、録画視聴、または録画結果を表す文字や記号、その番組の録画または視聴予約の設定が上述した録画装置１０３の機能により自動的に設定されたものなのか、またはユーザの指令により設定されたものなのかを表す文字や記号を表示するかわりに、対象となる番組の表示枠内を、他の番組の表示枠とは異なる色や明るさにより表示するようにしてもよい。
【０１０４】
このように、番組表４０１とともに、録画視聴予約に関する情報、および録画結果に関する情報が表示されるので、ユーザは、録画装置１０３において、どの番組の録画または視聴予約が設定されており、また、録画予約が設定されていた番組の録画が成功したか否かを簡単かつ確実に知ることができる。また、録画視聴予約に関する情報、および録画結果に関する情報とともに表示される番組表４０１は、携帯端末１０１の表示部２０２に表示されるので、例えば、映像表示音声再生装置１０４においてコンテンツを視聴中のユーザも、録画装置１０３において、どの番組の録画または視聴予約が設定されており、また、録画予約が設定されていた番組の録画が成功したか否かを簡単かつ確実に知ることができる。
【０１０５】
なお、上述した例においては、番組表４０１とともに、録画視聴予約に関する情報、および録画結果に関する情報が表示される例について説明したが、勿論、番組表４０１とともに、録画視聴予約に関する情報のみが表示されるようにしたり、番組表４０１とともに、録画結果に関する情報のみが表示されるようにすることも可能であり、さらに、必要に応じて番組表４０１のみを表示させるようにすることも可能である。
【０１０６】
次に、図１０のフローチャートを参照して、図７のステップＳ２２４のリスト表示処理の詳細について説明する。
【０１０７】
ステップＳ２８１において、合成部３１０は、リストの種類を指定する。ここで、リストの種類には、録画視聴予約リストまたは録画結果リストの２種類があるものとし、例えば、ユーザの指令などに基づいて、上記の２種類のうちいずれかが選択されるものとする。
【０１０８】
ステップＳ２８２においては、録画視聴予約リストまたは録画結果リストのうちいずれが選択されたかが判定される。ステップＳ２８２において、録画視聴予約リストが選択されたと判定された場合、処理は、ステップＳ２８３に進む。
【０１０９】
ステップS２８３において、録画視聴予約情報記憶部３０５は、録画装置１０３から取得し、記憶されている録画視聴予約情報を読み出す。
【０１１０】
ステップS２８４において、録画視聴予約表示作成部３０６は、ステップS２８３の処理で読み出された録画視聴予約情報に基づいて、表示データを作成する。詳細は後述するが、これにより、例えば、時系列に録画視聴予約に関する情報がリスト化されて表示されるための表示データが作成される。
【０１１１】
一方、ステップＳ２８２において、録画結果リストが選択されたと判定された場合、処理は、ステップＳ２８５に進む。
【０１１２】
ステップS２８５において、録画結果情報記憶部３０８は、録画装置１０３から取得し、記憶されている録画結果情報を読み出す。
【０１１３】
ステップS２８６において、録画結果表示作成部３０９は、ステップS２８５の処理で読み出された録画結果情報に基づいて、表示データを作成する。詳細は後述するが、これにより、例えば、時系列に録画結果に関する情報がリスト化されて表示されるための表示データが作成される。
【０１１４】
ステップS２８４、またはステップS２８６の処理の後、処理は、ステップＳ２８７に進む。
【０１１５】
ステップS２８７において、表示制御部３１５は、ステップS２８４またはＳ２８６の処理で作成された表示データに基づく画像を表示部２０２の画面に表示させことにより、リスト表示画面を表示する。
【０１１６】
このとき表示されるリスト表示画面の例を図１１に示す。同図は、ステップＳ２８２において、録画視聴予約リストが選択されたと判定された場合の表示例であり、録画視聴予約に関する情報が時系列に表示されたリストとされている。
【０１１７】
同図において、図中縦方向に６の表示枠が表示されており、図中上から第１番目の表示枠には、「録画・視聴予約確認リスト」と表示されている。
【０１１８】
図中上から第２番目乃至第６番目の表示枠は、個々の番組に対する録画視聴予約に関する情報を表示する表示枠であり、第２番目の表示枠には、「視予」、「７月１３日（水）  ２：００PM〜２：０５PM」、「日本総合」、「ニュース」と表示されている。これは、チャネル「日本総合」において、７月１３日（水曜日）の午後2時から５分間（２：００PM〜２：０５PM）放送される番組「ニュース」の視聴予約が録画装置１０３に設定されていることを表している。
【０１１９】
また、第３番目の表示枠には、「録予」、「７月１３日（水）  ２：００PM〜３：００PM」、「ＴＢＣ」、「３年８組の先生」と表示されている。これは、チャネル「ＴＢＣ」において、７月１３日（水曜日）の午後2時から１時間間（２：００PM〜３：００PM）放送される番組「３年８組の先生」の録画予約が録画装置１０３に設定されていることを表している。
【０１２０】
同様に、第４乃至第６番目の表示枠にも個々の番組に対する録画視聴予約に関する情報が表示されている。
【０１２１】
このように、録画視聴予約に関する情報、または録画結果に関する情報がリスト化されて表示されるので、ユーザは、録画装置１０３において、どの番組の録画または視聴予約が設定されているか、また、録画予約が設定されていた番組の録画が成功したか否かを簡単に知ることができ、例えば、上述した統合表示処理により、番組表とともに録画視聴予約に関する情報、または録画結果に関する情報が表示される場合と比較して、知りたい情報をより迅速に知ることができる。
【０１２２】
また、録画視聴予約に関する情報のリスト、または録画結果に関する情報のリストは、携帯端末１０１の表示部２０２に表示されるので、例えば、映像表示音声再生装置１０４においてコンテンツを視聴中のユーザも、録画装置１０３において、どの番組の録画または視聴予約が設定されており、また、録画予約が設定されていた番組の録画が成功したか否かを簡単かつ迅速に知ることができる。
【０１２３】
なお、録画視聴予約に関する情報と、録画結果に関する情報とを同一のリストとしてリスト表示させるようにしてもよい。
【０１２４】
図６乃至図１１を参照して説明した携帯端末１０１の処理に伴って実行される録画装置１０３の処理については後述する。
【０１２５】
次に、図１２のフローチャートを参照して、携帯端末１０１により録画装置１０３に対する録画視聴予約を設定する場合の予約設定処理について説明する。この処理は、例えば、図９を参照して上述したような番組表が表示されているとき実行される。
【０１２６】
ステップＳ３０１において、録画視聴予約指示部３１７は、番組の指定を受け付ける。番組の指定は、例えば、次のようにして行われる。
【０１２７】
例えば、図９において太枠で示されるフォーカス４０２、または図１１において太枠で示されるフォーカス５０４は制御用表示作成部３１１で生成されるGUIの１つであり、例えば、図９に示される状態から入力部３１６を介して受け付けられる操作入力により、左への移動に対応する操作が行われると、フォーカス４０２は、番組「健康トピック」から番組「おひるの触れ合い」へ移動する。これにより、ユーザが所望の番組を番組表４０１の中から選択することができる。
【０１２８】
ステップS３０２において、録画視聴予約指示部３１７は、録画（または視聴）予約が指令されたか否かを判定し、まだ予約が指令されていないと判定された場合、処理は、ステップS３０１に戻る。例えば、携帯端末１０１の入力部２０４にある録画予約ボタン（図示せず）を押すと、ステップS３０２では、フォーカス４０２がある番組の録画予約が指令されたと判定される。また、録画予約ボタン（または視聴予約ボタン）を設けず、ひとつの予約ボタンを設けて、この予約ボタンを押すと録画予約か視聴予約を選択するＧＵＩを表示して選択させ、その結果に基づいて、ステップS３０２の判定が行われるようにしてもよい。
【０１２９】
ステップS３０２において、録画（または視聴）予約が指令されたと判定された場合、処理は、ステップS３０３に進む。
【０１３０】
ステップS３０３において、録画視聴予約指示部３１７は、ステップS３０２で指令されたと判定された録画（または視聴）予約に対応する予約設定要求を生成する。ここで、予約設定要求は、録画（または視聴）すべき番組の放送開始／終了日時、チャネルなどを含む情報とされる。
【０１３１】
ステップS３０４において、録画視聴予約指示部３１７は、通信部３１８を介して録画装置１０３に、ステップS３０３の処理で生成された予約設定要求を送信する。そして、これが録画装置１０３により受信されて録画（または視聴予約）が設定される。
【０１３２】
このようにして、録画または視聴予約が設定される。ユーザは、番組表上のフォーカスを移動させ、ボタンを押すだけで録画または視聴予約を設定できるので、簡単かつ確実に所望の番組の録画または視聴予約を設定することができる。また、番組表４０１は、携帯端末１０１の表示部２０２に表示されるので、例えば、映像表示音声再生装置１０４においてコンテンツを視聴中のユーザも、簡単かつ確実に所望の番組の録画または視聴予約を設定することができる。
【０１３３】
次に、図１３のフローチャートを参照して、図６乃至図１２を参照して説明した携帯端末１０１の処理に伴って実行される録画装置１０３の処理について説明する。
【０１３４】
ステップS４０１において、通信部３５０は、録画視聴予約情報取得要求を受信したか否かを判定する。例えば、図６のステップS２０２の処理で携帯端末１０１から送信された録画視聴予約情報取得要求を録画装置１０３が受信した場合、ステップS４０１では、録画視聴予約情報取得要求を受信したと判定され、処理は、ステップS４０２に進む。
【０１３５】
ステップS４０２において、録画視聴予約情報記憶部３５３は、記憶されている録画視聴予約情報を読み出す。
【０１３６】
ステップS４０３において、通信部３５０は、ステップS４０２で読み出された録画視聴予約情報を携帯端末１０１に送信する。
【０１３７】
ステップS４０１において、録画視聴予約情報取得要求を受信しなかったと判定された場合、またはステップS４０３の処理の後、処理は、ステップS４０４に進む。
【０１３８】
ステップS４０４において、通信部３５０は、録画結果情報取得要求を受信したか否かを判定する。例えば、図６のステップS２０５の処理で携帯端末１０１から送信された録画結果情報取得要求を録画装置１０３が受信した場合、ステップS４０４では、録画結果情報取得要求を受信したと判定され、処理は、ステップS４０５に進む。
【０１３９】
ステップS４０５において、録画結果判定部３５４は、録画装置１０３により以前に実行された録画処理の結果を判定し、録画結果情報を生成する。
【０１４０】
ステップS４０６において、通信部３５０は、ステップS４０５で読み出された録画結果情報を携帯端末１０１に送信する。
【０１４１】
ステップS４０４において、録画結果情報取得要求を受信しなかったと判定された場合、またはステップS４０６の処理の後、処理は、ステップS４０７に進む。
【０１４２】
ステップS４０７において、通信部３５０は、予約設定要求を受信したか否かを判定する。例えば、図１２のステップS３０４の処理で携帯端末１０１から送信された予約設定要求を録画装置１０３が受信した場合、ステップS４０７では、予約設定要求を受信したと判定され、処理は、ステップS４０８に進む。
【０１４３】
ステップS４０８において、録画視聴予約設定部３５２は、ステップS４０７で受信したと判定された予約設定要求に基づいて、録画視聴予約設定情報を生成する。これにより、録画（または視聴）の開始／終了日時、チャネルなどが、録画装置１０３に録画または視聴を実行させるコマンドなどとともに、録画視聴予約設定情報として生成される。
【０１４４】
ステップS４０９において、録画視聴予約情報記憶部３５３は、ステップS４０８の処理で生成された録画視聴予約設定情報を記憶する。これにより、録画視聴予約設定情報に基づいて、録画視聴予約実行部３５５が設定された時刻に設定されたチャネルで放送される番組の録画または視聴を実行する。なお、録画された番組は、動画保存部３５６により保存（記憶）される。
【０１４５】
ステップS４０７において、予約設定要求を受信しなかったと判定された場合、またはステップS４０９の処理の後、処理は、ステップS４０１に戻り、それ以後の処理が繰り返し実行される。
【０１４６】
このようにして、携帯端末１０１の処理に伴って、録画装置１０３の処理が実行される。
【０１４７】
以上においては、携帯端末１０１がリモコンとして構成される例について説明したが、例えば、携帯型ゲーム機など、ユーザに番組表を提示するのに充分な大きさのディスプレイを有する電子機器と一体として構成されるようにしてもよい。
【０１４８】
さらに、携帯端末１０１は、例えば、携帯電話機と一体として構成されるようにしても構わない。この場合、例えば、携帯端末１０１は、携帯電話会社の基地局経由でインターネット１０６に接続され、ルータ１０５を介して家庭内LAN１００上の録画装置１０３と通信を行うようにすればよい。
【０１４９】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１４に示されるような汎用のパーソナルコンピュータ５００などに、ネットワークや記録媒体からインストールされる。
【０１５０】
図１４において、CPU（Central Processing Unit）５０１は、ROM（Read Only Memory）５０２に記憶されているプログラム、または記憶部５０８からRAM（Random Access Memory）５０３にロードされたプログラムに従って各種の処理を実行する。RAM５０３にはまた、CPU５０１が各種の処理を実行する上において必要なデータなども適宜記憶される。
【０１５１】
CPU５０１、ROM５０２、およびRAM５０３は、バス５０４を介して相互に接続されている。このバス５０４にはまた、入出力インタフェース５０５も接続されている。
【０１５２】
入出力インタフェース５０５には、キーボード、マウスなどよりなる入力部５０６、CRT(Cathode Ray Tube)、ＬＣＤ(Liquid Crystal display)などよりなるディスプレイ、並びにスピーカなどよりなる出力部５０７、ハードディスクなどより構成される記憶部５０８、モデム、LANカードなどのネットワークインタフェースカードなどより構成される通信部５０９が接続されている。通信部５０９は、インターネットを含むネットワークを介しての通信処理を行う。
【０１５３】
入出力インタフェース５０５にはまた、必要に応じてドライブ５１０が接続され、磁気ディスク、光ディスク、光磁気ディスク、或いは半導体メモリなどのリムーバブルメディア５１１が適宜装着され、それらから読み出されたコンピュータプログラムが、必要に応じて記憶部５０８にインストールされる。
【０１５４】
上述した一連の処理をソフトウェアにより実行させる場合には、そのソフトウェアを構成するプログラムが、インターネットなどのネットワークや、リムーバブルメディア５１１などからなる記録媒体からインストールされる。
【０１５５】
なお、この記録媒体は、図１４に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア５１１により構成されるものだけでなく、装置本体に予め組み込まれた状態でユーザに配信される、プログラムが記録されているROM５０２や、記憶部５０８に含まれるハードディスクなどで構成されるものも含む。
【０１５６】
本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１５７】
【図１】本発明を適用した録画予約システムの一実施形態に係る構成例を示すブロック図である。
【図２】図１の携帯端末の内部構成例を示すブロック図である。
【図３】図１の携帯端末、録画装置、および番組情報サーバの機能的構成例を示すブロック図である。
【図４】番組情報取得処理の例を説明するフローチャートである。
【図５】番組情報送信処理の例を説明するフローチャートである。
【図６】番組情報表示処理の例を説明するフローチャートである。
【図７】画面表示処理の例を説明するフローチャートである。
【図８】統合表示処理の例を説明するフローチャートである。
【図９】統合表示画面の表示例を示す図である。
【図１０】リスト表示処理の例を説明するフローチャートである。
【図１１】リスト表示画面の表示例を示す図である。
【図１２】予約設定処理の例を説明するフローチャートである。
【図１３】録画装置の処理の例を説明するフローチャートである。
【図１４】パーソナルコンピュータの構成例を示すブロック図である。
【符号の説明】
【０１５８】
１００  家庭内LAN，  １０１  携帯端末，  １０３  録画装置，  １０４  映像表示音声再生装置，  １０７  番組情報サーバ，  ３０１  番組情報取得部，  ３０２  番組情報記憶部，  ３０３  番組表作成部，  ３０４  録画視聴予約情報取得部，  ３０５  録画視聴予約情報記憶部，  ３０６  録画視聴予約表示作成部，  ３０７  録画結果情報取得部，  ３０８  録画結果情報記憶部，  ３０９  録画結果表示作成部，  ３１０  合成部，  ３１２  機器情報取得部，  ３１３  機器情報保存部  ３１４  録画装置指定部，  ３１７  録画視聴予約設定部，  ３５１  機器情報提供部，  ３５２  録画視聴予約設定部，  ３５３  録画視聴予約情報記憶部，  ３５５  録画視聴予約実行部，  ３５６  録画結果判定部
【図１】
2007129397.tif 000003
【図２】
2007129397.tif 000004
【図３】
2007129397.tif 000005
【図４】
2007129397.tif 000006
【図５】
2007129397.tif 000007
【図６】
2007129397.tif 000008
【図７】
2007129397.tif 000009
【図８】
2007129397.tif 000010
【図９】
2007129397.tif 000011
【図１０】
2007129397.tif 000012
【図１１】
2007129397.tif 000013
【図１２】
2007129397.tif 000014
【図１３】
2007129397.tif 000015
【図１４】
2007129397.tif 000016